(57)【特許請求の範囲】
【請求項１】
回転軸に設けた羽根回り止め部に係合する羽根のボス部に設けられ、前記回転軸に保持される保持部および押圧することにより前記保持部を移動させる押圧部を一体に形成して一対設けた羽根ロック部を備え、前記一対の羽根ロック部を形成する前記一対の保持部で前記回転軸に保持し、前記押圧部を挟む操作により前記保持部の保持力を解除して羽根を着脱し、前記回転軸に、前記ボス部の係合部が係合する前記羽根回り止め部と、前記保持部の係合する凹溝を設け、前記一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される前記羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたものであって、前記保持部固定部の横断面形状をＬの字状としたことを特徴とする羽根の着脱装置。
【請求項２】
回転軸に設けた羽根回り止め部に係合する羽根のボス部に設けられ、前記回転軸に保持される保持部および押圧することにより前記保持部を移動させる押圧部を一体に形成して一対設けた羽根ロック部を備え、前記一対の羽根ロック部を形成する前記一対の保持部で前記回転軸に保持し、前記押圧部を挟む操作により前記保持部の保持力を解除して羽根を着脱し、前記回転軸に、前記ボス部の係合部が係合する前記羽根回り止め部と、前記保持部の係合する凹溝を設け、前記一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される前記羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたものであって、前記保持部固定部の横断面形状をコの字状としたことを特徴とする羽根の着脱装置。
【請求項３】
回転軸に設けた羽根回り止め部に係合する羽根のボス部に設けられ、前記回転軸に保持される保持部および押圧することにより前記保持部を移動させる押圧部を一体に形成して一対設けた羽根ロック部を備え、前記一対の羽根ロック部を形成する前記一対の保持部で前記回転軸に保持し、前記押圧部を挟む操作により前記保持部の保持力を解除して羽根を着脱し、前記回転軸に、前記ボス部の係合部が係合する前記羽根回り止め部と、前記保持部の係合する凹溝を設け、前記一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される前記羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたものであって、前記羽根ロック部と前記カバーと前記ボス部のそれぞれの色が異なるように構成したことを特徴とする羽根の着脱装置。
【請求項４】
カバー外周部から外方に突出する、カバー開放時に指掛け用となるリブを設けた請求項１〜３のいずれかに記載の羽根の着脱装置。
【請求項５】
カバーに、開放時につまみ操作するリブを指し示す刻印またはラベル貼付した請求項４に記載の羽根の着脱装置。
【請求項６】
カバーの外周部に、カバー開閉時に支持部となるヒンジ部と、このヒンジ部と対向する箇所にカバー閉塞を保持する係合用爪とを設けた請求項１〜５のいずれかに記載の羽根の着脱装置。
【請求項７】
係合用爪との間に隙間を形成するようにガイドリブを設け、前記隙間に前記係合用爪の被係合部位が嵌合するように構成した請求項６に記載の羽根の着脱装置。
【請求項８】
羽根ロック部とカバーとボス部とが別体の構成要素で、複数の爪により接合して一体に形成されてなり、前記複数の爪は少なくとも１つの爪の形状が他の爪の形状と異なる請求項１〜７のいずれかに記載の羽根の着脱装置。
【請求項９】
羽根ロック部とカバーとボス部とが別体の構成要素で、複数の爪により接合して一体に形成されてなり、前記複数の爪のそれぞれの間隔が異なる請求項１〜７のいずれかに記載の羽根の脱装置。
【請求項１０】
カバーの下部に水抜き穴を設けた請求項１〜９のいずれかに記載の羽根の着脱装置。
【請求項１１】
カバーの背面側形状を水抜き穴に向かって低くなる傾斜状とした請求項１０に記載の羽根の着脱装置。
【発明の詳細な説明】
【技術分野】
【０００１】
本発明は、工具等を用いずに容易に羽根を着脱できる羽根の着脱装置に関する。
【背景技術】
【０００２】
従来のこの種の羽根の着脱装置として、羽根の回転軸への着脱を、羽根を回転軸に嵌めて押し付けることにより取り付け、また、指で挟む操作により回転軸への保持を解除して取り外すものが知られている（例えば、特許文献１参照）。
【０００３】
以下、その羽根の着脱装置について、図９および図１０を参照しながら説明する。
【０００４】
図に示すように、電動機の回転軸１０１に、羽根１０２のブレード部１０３に設けたボス部１０４の係合部１０５が係合して回り止めとなる羽根回り止め部１０６と、凹溝１０７とを設け、ブレード部１０３に、凹溝１０７に係合し保持される保持部１０８と押圧部１０９とで回転軸１０１を囲むようにほぼＵ字状に形成した羽根ロック部１１０を対向するように一対設けて、羽根の着脱装置を構成している。
【０００５】
上記構成により、羽根１０２を回転軸１０１に取り付けるときは、ボス部１０４を回転軸１０１に嵌め、ボス部１０４に設けた係合部１０５を回転軸１０１に設けた羽根周り止め部１０６に係合するとともに、回転軸１０１の先端部分により羽根ロック部１１０の保持部１０８を開きながら回転軸１０１の凹溝１０７に案内して保持部１０８の弾性力で回転軸１０１を挟持することにより、羽根１０２を取り付け、羽根１０２を取り外すときは、押圧部１０９を指先で内方側に向け押圧することにより、押圧部１０９と一体に設けられた保持部１０８が回転軸１０１の凹溝１０７から離れる方向に移動することにより、羽根１０２を容易に取り外すことができる。
【特許文献１】特開２００４−１２４７８２号公報（第３頁、図１，２）
【発明の開示】
【発明が解決しようとする課題】
【０００６】
このような従来の羽根の着脱装置は、たとえば、パイプ用換気扇の羽根のように小さくて軽い羽根の場合は、回転軸１０１への保持力が長期間にわたって確保されるが、天井埋込形換気扇に組み込まれる遠心送風機の羽根のように、大きさおよび構造上、重量が大きくなるものは、長期間、回転軸１０１が垂直になる方向に設置されると、羽根ロック部１１０の保持力が徐々に低下し、場合によっては、羽根１０２が回転軸１０１から外れて落下してしまうという危険性もある。
【０００７】
本発明は、このような従来の課題を解決するものであり、天井等の高い位置に設置され、また、内部の空間が狭い機器に組み込まれる送風機の羽根において、羽根の着脱が容易であるとともに、重量が大きく、垂直方向に向く回転軸に固着される羽根であっても、その落下を確実に阻止することができる羽根の着脱装置を提供することを目的としている。
【課題を解決するための手段】
【０００８】
本発明の羽根の着脱装置は、上記目的を達成するために、回転軸に設けた羽根回り止め部に係合する羽根のボス部に設けられ、前記回転軸に保持される保持部および押圧することにより前記保持部を移動させる押圧部を一体に形成して一対設けた羽根ロック部とを備え、前記一対の羽根ロック部を形成する前記一対の保持部で前記回転軸に保持し、前記押圧部を挟む操作により前記保持部の保持力を解除して羽根を着脱する構成とした羽根の着脱装置であって、前記回転軸に、前記ボス部の係合部が係合する前記羽根回り止め部と、前記保持部の係合する凹溝を設け、前記一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される前記羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたものである。
【０００９】
また、他の手段は、保持部固定部の横断面形状をＬの字状としたものである。
【００１０】
また、他の手段は、保持部固定部の横断面形状をコの字状としたものである。
【００１１】
また、他の手段は、羽根ロック部とカバーとボス部のそれぞれの色が異なるように構成したものである。
【００１２】
また、他の手段は、カバー外周部から外方に突出する、カバー開放時に指掛け用となるリブを設けたものである。
【００１３】
また、他の手段は、カバーに、開放時につまみ操作するリブを指し示す刻印またはラベル貼付したものである。
【００１４】
また、他の手段は、カバーの外周部に、カバー開閉時に支持部となるヒンジ部と、このヒンジ部と対向する箇所にカバー閉塞を保持する係合用爪とを設けたものである。
【００１５】
また、他の手段は、係合用爪との間に隙間を形成するようにガイドリブを設け、前記隙間に前記係合用爪の被係合部位が嵌合するように構成したものである。
【００１６】
また、他の手段は、羽根ロック部とカバーとブレード部とが別体の構成要素で、複数の爪により接合して一体に形成されてなり、前記複数の爪は少なくとも１つの爪の形状が他の爪の形状と異なるものである。
【００１７】
また、他の手段は、前記複数の爪のそれぞれの間隔が異なるものである。
【００１８】
また、他の手段は、カバーの下部に水抜き穴を設けたものである。
【００１９】
また、他の手段は、カバーの背面側形状を水抜き穴に向かって低くなる傾斜状としたものである。
【発明の効果】
【００２０】
本発明によれば、回転軸に、ボス部の係合部が係合する羽根回り止め部と、保持部の係合する凹溝を設け、一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたことにより、高い設置位置あるいは狭い空間での羽根の着脱が容易になるとともに、羽根が垂直方向に向く回転軸に固着されたような場合であっても、その固着が外れて羽根が落下するのを、確実に阻止でき、安全性が向上するという効果のある羽根の着脱装置を提供することができる。
【００２１】
また、保持部固定部の横断面形状をＬの字状としたことにより、保持部固定部の強度を、カバーの外観上好ましい状態で確保できる。
【００２２】
また、保持部固定部の横断面形状をコの字状としたことにより、保持部固定部の強度を確保したうえで、カバーの外観上の不具合な状態の発生を抑えることができる。
【００２３】
また、羽根ロック部とカバーとボス部のそれぞれの色が異なるように構成したことにより、使用者が目的の操作をするための部材を間違いなく選ぶことができ、確実な操作ができることとなる。
【００２４】
また、カバー外周部から外方に突出する、カバー開放時に指掛け用となるリブを設けたことにより、カバーの開放が容易にできるようになって、羽根落下防止用のカバーを設けても、羽根の着脱に手間がほとんど増えない。
【００２５】
また、カバーに、開放時につまみ操作するリブを指し示す刻印またはラベル貼付したことにより、カバーの開放操作が手間なく確実に行うことができることとなる。
【００２６】
また、カバーの外周部に、カバー開閉時に支持部となるヒンジ部と、このヒンジ部と対向する箇所にカバー閉塞を保持する係合用爪とを設けたことにより、カバーの開閉を容易に、かつ、確実に行うことができる。
【００２７】
また、係合用爪との間に隙間を形成するようにガイドリブを設け、前記隙間に前記係合用爪の被係合部位が嵌合するように構成したことにより、カバーの開閉を、さらに容易かつ確実に行うことができることとなる。
【００２８】
また、羽根ロック部とカバーとボス部とが別体の構成要素で、複数の爪により接合して一体に形成されてなり、前記複数の爪は少なくとも１つの爪の形状が他の爪の形状と異なることにより、取り付け方向を間違うことによる羽根バランス等に起因する品質不良の発生をなくし、品質を確保できることとなる。
【００２９】
また、複数の爪のそれぞれの間隔が異なることにより、取り付け方向を間違うことによる羽根バランス等に起因する品質不良の発生をなくし、品質の確保が保障されることとなる。
【００３０】
また、カバーの下部に水抜き穴を設けたことにより、カバー内に長時間水を溜めなくなるので、羽根を固着した電動機の回転軸に錆が発生するのを防止し、羽根を組み込んだ機器本体内に錆水の発生するのを抑制することができる。
【００３１】
また、カバーの背面側形状を水抜き穴に向かって低くなる傾斜状としたことにより、回転軸での錆発生、機器本体内での錆水発生の防止効果が高まる。
【発明を実施するための最良の形態】
【００３２】
本発明の羽根の着脱装置は、回転軸に、ボス部の係合部が係合する羽根回り止め部と、保持部の係合する凹溝を設け、一対の保持部と押圧部をそれぞれにおいて前記回転軸を囲むように横断面形状でほぼＵ字状に形成し、前記一対の保持部は内面側で前記回転軸の前記凹溝を挟持するように設け、前記押圧部を指先で挟むことにより前記保持部の保持力が解除される羽根ロック部を設けるとともに、前記羽根ロック部を開閉自在に覆うキャップ状のカバーを前記ボス部に取り付け、前記カバーは背面に、閉塞時、隣り合う前記押圧部と前記保持部の間に挿入されて前記保持部の動きを阻止する突起状の保持部固定部を備えたものであり、押圧部を指先で挟む操作により羽根を容易に取り外すことができるとともに、羽根を回転軸に固着した状態では、カバーの保持部固定部によってその保持が解除されることを確実に阻止できるという作用を有する。
【００３３】
また、保持部固定部の横断面形状をＬの字状としたものであり、保持部固定部の厚みを薄くしても強度を確保でき、保持部固定部を背面に突出形成するカバーの表面側における成形時のひけの発生をなくすことができる。
【００３４】
また、保持部固定部の横断面形状をコの字状としたものであり、保持部固定部の厚みを薄くでき、保持部固定部の表面側における成形時のひけの発生をなくすことができる。
【００３５】
また、羽根ロック部とカバーとボス部のそれぞれの色が異なるように構成したものであり、羽根を着脱するための羽根ロック部と、羽根の落下防止をするためのカバーと、ボス部とを一目で識別でき、目的の操作が確実にできることとなる。
【００３６】
また、カバー外周部から外方に突出する、カバー開放時に指掛け用となるリブを設けたものであり、羽根を着脱するためにカバーを開ける際、つまみやすく、容易に開けることができることとなる。
【００３７】
また、カバーに、開放時につまみ操作するリブを指し示す刻印またはラベル貼付したものであり、カバーを開けるためにつまむ場所がすぐにわかるようになる。
【００３８】
また、カバーの外周部に、カバー開閉時に支持部となるヒンジ部と、このヒンジ部と対向する箇所にカバー閉塞を保持する係合用爪とを設けたものであり、カバーの開閉操作を、一箇所の係合部の係合・解除によって行うことができる。
【００３９】
また、係合用爪との間に隙間を形成するようにガイドリブを設け、前記隙間に前記係合用爪の被係合部位が嵌合するように構成したものであり、カバーを塞ぐとき、係合用爪とガイドリブとの間の隙間に係合用爪の被係合部位が嵌合して、係合が確実になされる状態に案内される。
【００４０】
また、羽根ロック部とカバーとボス部とが別体の構成要素で、複数の爪により接合して一体に形成されてなり、前記複数の爪は少なくとも１つの爪の形状が他の爪の形状と異なるものであり、羽根バランス等を考慮して決めた羽根ロック部およびカバーとボス部との取付方向しか取り付けることができなく、誤った方向の取付けを防止できる。
【００４１】
また、複数の爪のそれぞれの間隔が異なるものであり、羽根ロック部およびカバーとボス部との取付方向が、決まった方向に確実に取り付けることができる。
【００４２】
また、カバーの下部に水抜き穴を設けたものであり、カバーはキャップ状になっているので、使用場所によっては水の溜まることがあるが、この溜まった水を水抜き穴から下方に落とすことができる。
【００４３】
また、カバーの背面側形状を水抜き穴に向かって低くなる傾斜状としたものであり、カバーに溜まった水をカバー背面に付けた傾斜によって水抜き穴に導き、スムーズに排出できる。
【００４４】
以下、本発明の実施の形態について、図１〜図８を参照しながら説明する。
【００４５】
（実施の形態１）
実施の形態１は、図１に示すように、天井埋込形の換気扇に組み込まれる遠心送風機の羽根１の着脱装置に係るものであり、天井埋込形の換気扇は、天井裏に挿入設置され、下面に室内に臨む開口を有する箱状のフレーム２内に、スクロール状のケーシング３と、ケーシング３内に配設され電動機４（図２に示す）によって回転駆動される遠心送風式の羽根１とからなる遠心送風機を組み込んで構成されている。
【００４６】
図２に示すように、電動機４の回転軸５には、ピン６ａを直交貫通させて固着した羽根回り止め部６と、全周にわたって外方に開口した凹溝７とを設けている。
【００４７】
羽根１は、外周側に複数のブレードを備えたブレード部８と、中央部に電動機４の回転軸５を挿入して固着されるボス部９とを一体に形成してなり、ボス部９の下端部には、回転軸５の羽根回り止め部６に係合する係合部１０が形成され、また、回転軸５の凹溝７とで羽根１の抜け止めをなす羽根ロック部１１が設けられている。
【００４８】
羽根ロック部１１は、図３に示すように、保持部１２と押圧部１３とで横断面形状がほぼＵ字状となるように一体的に形成されており、保持部１２を回転軸５の凹溝７の底面に当接させ、保持部１２と押圧部１３とで回転軸５を挟むように配設され、回転軸５に対して互い違いの方向に一対設けて、一対の羽根ロック部１１を構成する一対の保持部１２が、その弾性力により内面側どうしで凹溝７部を挟持して、羽根１を回転軸５に保持している。羽根ロック部１１は回転軸５に対して互い違いの方向に一対設けられているので、一対となる押圧部１３を指先で挟んで力を内方に加えると、一対の保持部１２は、互いに離れる方向へ移動して回転軸５の凹溝７から外れ保持力が解除される。
【００４９】
そして、ボス部９には、羽根ロック部１１を覆うキャップ状のカバー１４が開閉自在に設けられている。
【００５０】
カバー１４は、ボス部９に固定されるベース部１４ａと、ベース部１４ａの外周部に設けられたヒンジ部１４ｂを介して開閉自在に設けられたキャップ部１４ｃとからなり、また、キャップ部１４ｃの外周部には、ヒンジ部１４ｂと対向する箇所にベース部１４ａと係合してキャップ部１４ｃの閉塞を保持する係合用爪１５が設けられ、さらに、キャップ部１４ｃの背面に、キャップ部１４ｃ閉塞時に、一方の羽根ロック部１１の保持部１２と、この保持部１２と隣り合うもう一方の羽根ロック部１１の押圧部１３との間に挿入されて、保持部１２の動きを阻止する突起状の保持部固定部１６を備えている。
【００５１】
また、図４に示すように、キャップ部１４ｃの外周部で係合用爪１５の直近に、キャップ部１４ｃを開く操作をしやすくする指掛け用リブ１７を設けるとともに、係合用爪１５との間に隙間を形成し、先端側を根元側よりも薄くなるように傾斜させたガイドリブ１８を設け、係合用爪１５に係合するベース部１４ａの外周部がこの隙間に嵌合するようにして、キャップ部１４ｃを塞ぐ操作をしやすくしている。そして、図１に示すように、キャップ部１４ｃの表面側となる前面には、指掛け用リブ１７を指し、キャップ部１４ｃの開放時に指掛け用リブ１７をつまんで操作することを示す刻印２４を施している。なお、刻印２４に代えてラベルを貼付してもよい。
【００５２】
また、図３に示すように、羽根ロック部１１とカバー１４とボス部９とは、それぞれが別体の構成要素で、複数の爪１９と穴２０を係合させて接合し、一体に形成されているが、複数の爪１９および穴２０のうち、少なくとも一組の爪１９および穴２０は他の爪１９および穴２０と幅が違い、形状が異なっている。したがって、これらの構成要素は所定の取付け方向にしか取り付かない。
【００５３】
また、キャップ部１４ｃの下部に水抜き穴２１を設けるとともに、キャップ部１４ｃの背面側を中央部から水抜き穴２１に向かって低くなるように傾斜をつけた形状としている。
【００５４】
また、羽根ロック部１１とカバー１４とボス部９のそれぞれの色が異なるようにしている。
【００５５】
上記構成において、換気扇を長時間運転すると羽根１に埃等が付着し、風量が減少したり、騒音が高くなるので、羽根１を電動機４の回転軸５から取り外して掃除する必要があるが、この羽根１の取り外しは以下のようにして行われる。
【００５６】
まず、図５に示すように、フレーム２の下面を覆って取り付けられている前面パネル２２を外し、ケーシング３の下面に設けられて吸込口を形成したオリフィス２３を外す。
【００５７】
そして、カバー１４のキャップ部１４ｃを、指掛け用リブ１７を指でつまんでヒンジ部１４ｂを支点として開く。このとき、指掛け用リブ１７によって、キャップ部１４ｃを開く方向に力を加える箇所をつまみやすくなり、また、指掛け用リブ１７の使用を指し示す刻印２４によって、キャップ部１４ｃを開放するためにつまみ操作する箇所が、迷わずにすぐにわかることとなる。そして、キャップ部１４ｃを開くと、キャップ部１４ｃの背面の保持部固定部１６が羽根ロック部１１の保持部１２と押圧部１３との間から引き出された状態となり、一対の押圧部１３を指先で挟み内方に力を加えると押圧部１３と一体に形成された保持部１２が連動して回転軸５から離れる方向に動き、羽根ロック部１１の凹溝７における保持力が解除され、羽根１が回転軸５から容易に取り外される。
【００５８】
羽根１の掃除を終え回転軸５に取り付けるときは、ボス部９を回転軸５に嵌め、ボス部９の係合部１０を回転軸５の羽根回り止め部６に係合しながら、羽根１を押し上げて回転軸５の先端部で保持部１２をその弾性力に抗して開き、凹溝７に保持部１２を係合させると、保持部１２の弾性力で回転軸５を凹溝７において挟持し、羽根１を回り止め、かつ、抜け止めの状態に容易に取り付けることができる。
【００５９】
そして、羽根１を羽根ロック部１１によって固定した後、キャップ部１４ｃを閉じる方向に操作してカバー１４を塞ぐが、この操作は、キャップ部１４ｃの係合用爪１５とガイドリブ１８との間の隙間にベース部１４ａの外周部が嵌合してキャップ部１４ｃをベース部１４ａに係合するようにガイドするので、その係合が確実になされることとなる。
【００６０】
そして、キャップ部１４ｃを閉じると、保持部固定部１６が保持部１２と押圧部１３との間に挿入されて、一対の保持部１２が羽根１の荷重により押し広げられように動くのを阻止し、長期間設置されても保持部１２が凹溝７から外れることがなく、羽根１が回転軸５から抜け落ちることを確実に阻止することができる。
【００６１】
また、上記のキャップ部１４ｃの開閉操作は、キャップ部１４ｃとベース部１４ａとを連結するヒンジ部１４ｂに対向する箇所に設けた係合用爪１５の一箇所における係脱で行えばよいので操作が簡単になるとともに、一箇所の係合の状態を確認すればよいのでキャップ部１４ｃの閉塞を確実に行うことができるようになる。
【００６２】
さらに、羽根ロック部１１とカバー１４とボス部９のそれぞれの色が異なるので、キャップ部１４ｃの開閉、そして、羽根１の着脱の操作時に、操作に対応する構成要素が一目で識別でき、目的の操作が迷わずに確実にできることとなる。
【００６３】
一方、換気扇の製造時、羽根ロック部１１およびカバー１４をボス部９に一体に組み立てる際、複数の爪１９および穴２０のうち、少なくとも一組の爪１９および穴２０の形状が他の爪１９および穴２０の形状と異なるので、羽根１の重量バランス等を考慮して決めた所定の取付け方向にしか取り付けることができず、重量アンバランスに起因する振動の発生等の防止ができ、品質を確保できることとなる。
【００６４】
以上のように本発明の実施の形態１の羽根の着脱装置によれば、天井に取り付けられ、内部の空間が狭い天井埋形の換気扇野のフレーム２内に組み込まれた送風機の羽根１の着脱が容易であり、羽根１の着脱が容易であっても、羽根１が電動機４の回転軸５から外れて落下するのをかくじつに阻止することができ、さらに、これらの羽根１の容易な着脱、羽根１の確実な落下防止を達成できる構成としても、羽根１の落下防止のための操作が、迷わずに手間なく、かつ、確実に行うことができることとなる。
【００６５】
また、カバー１４は、上方に開いた状態のキャップ部１４ｃを備えているので、換気扇を設置する場所によっては、キャップ部１４ｃに水の溜まることがあるが、少し溜まったところで下部に設けた水抜き穴２１から下方に落ちて排出されるので、キャップ部１４内に長時間水を溜めることがなくなり、羽根１を固着している回転軸５に錆が発生したり、カバー１４内に錆水が発生するのを抑制することができる。
【００６６】
さらに、キャップ部１４ｃの背面側を、水抜き穴２１に向かって低くなる傾斜をつけた形状としているので、水の排出効果が高まる。
【００６７】
（実施の形態２）
実施の形態２は、図６に示すように、上記実施の形態１に対し、別体の構成要素である羽根ロック部１１とカバー１４とボス部９とを接合して一体に形成する複数の爪１９Ａおよび穴２０Ａの配置間隔を、等間隔でなく不均一にした点が相違する。
【００６８】
上記構成により、羽根１の重量バランス等を考慮して決めた所定の取付け方向とは異なる方向に誤って取り付けることが確実になくなり、品質がより保障されることとなる。
【００６９】
（実施の形態３）
実施の形態３は、図７に示すように、カバー１４のキャップ部１４ｃの背面に突出して設ける保持部固定部１６Ａを、横断面形状でＬの字状としたことに特徴がある。
【００７０】
なお、保持部固定部１６Ａの形状以外の他の構成要素と関係する構成および機能は、上記実施の形態１と同じである。
【００７１】
上記構成により、保持部固定部１６Ａの厚みを薄くしても強度が確保でき、保持部固定部１６Ａを背面に突出形成するキャップ部１４ｃの表面側における成形時のひけの発生をなくすことができる。
【００７２】
このように本発明の実施の形態３の羽根の着脱装置によれば、保持部固定部１６Ａの強度を、カバー１４の外観上好ましい状態で確保できる。
【００７３】
（実施の形態４）
実施の形態４は、図８に示すように、カバー１４のキャップ部１４ｃの背面に突出して設ける保持部固定部１６Ｂを、横断面形状でコの字状としたことに特徴がある。
【００７４】
上記構成により、上記実施の形態３と同様に、保持部固定部１６Ｂの厚みを薄くでき、キャップ部１４ｃの表面側における成形時のひけの発生をなくすことができる。
【００７５】
このように本発明の実施の形態４の羽根の着脱装置によれば、保持部固定部１６Ｂの強度を確保したうえで、カバー１４の外観上の不具合な状態の発生を抑えることができる。
【産業上の利用可能性】
【００７６】
羽根の着脱が容易で、しかも、羽根の回転軸からの落下が確実に阻止できる着脱装置であるので、とくに高所に取り付けられる機器に組み込まれる送風機に有用である。
【図面の簡単な説明】
【００７７】
【図１】本発明の実施の形態１の羽根の着脱装置を備えた天井埋込形換気扇の斜視図
【図２】同羽根の着脱装置を備えた羽根の断面図
【図３】同羽根から着脱装置のカバーを外した状態を示す斜視図
【図４】同着脱装置の拡大断面図
【図５】同羽根の取り外し時の状態を示す分解斜視図
【図６】本発明の実施の形態２の羽根から着脱装置のカバーを外した状態を示す斜視図
【図７】本発明の実施の形態３の羽根から着脱装置のカバーを外した状態を示す斜視図
【図８】本発明の実施の形態４の羽根から着脱装置のカバーを外した状態を示す斜視図
【図９】従来の羽根の着脱装置の拡大断面図
【図１０】同羽根の取り外し時の状態を示す分解斜視図
【符号の説明】
【００７８】
１      羽根
５      回転軸
６      羽根回り止め部
７      凹溝
９      ボス部
１０    係合部
１１    羽根ロック部
１２    保持部
１３    押圧部
１４    カバー
１４ｂ  ヒンジ部
１５    係合用爪
１６    保持部固定部
１６Ａ  保持部固定部
１６Ｂ  保持部固定部
１７    指掛け用リブ
１８    ガイドリブ
１９    爪
１９Ａ  爪
２１    水抜き穴
２４    刻印
【図１】
0005104351.tif 000002
【図２】
0005104351.tif 000003
【図３】
0005104351.tif 000004
【図４】
0005104351.tif 000005
【図５】
0005104351.tif 000006
【図６】
0005104351.tif 000007
【図７】
0005104351.tif 000008
【図８】
0005104351.tif 000009
【図９】
0005104351.tif 000010
【図１０】
0005104351.tif 000011